(57)【特許請求の範囲】
【請求項１】
絶縁操作棒の先端側に連結保持部を介して連結され、前記絶縁操作棒の操作によって前記連結保持部を中心に回動可能な間接ラチェットレンチと、
前記間接ラチェットレンチの前記連結保持部と反対側に位置する自由端側に組込まれ、締付け回転方向が一方向に制限されるラチェット機構部と、
前記ラチェット機構部の軸方向の一側に連結され、電線接続用のボルトの頭部と嵌合可能なソケット部と、
前記ラチェット機構部の軸方向の他側に連結され、前記ラチェット機構部を介して前記ソケット部を回動させることが可能な入力軸部と、
前記入力軸部に連結され、前記絶縁操作棒と別の絶縁操作棒により外周縁部が把持可能な径を有する円盤を備え、前記の別の絶縁操作棒により前記円盤が把持されて回動操作された場合に、前記ラチェット機構部を介して前記ソケット部を回動させることが可能な回動盤と、
を備えたことを特徴とする間接活線作業用ラチェット工具。
【請求項２】
前記回動盤は、前記入力軸部に対して着脱可能であることを特徴とする請求項１に記載の間接活線作業用ラチェット工具。
【請求項３】
前記円盤は、透明アクリル板からなることを特徴とする請求項１または２に記載の間接活線作業用ラチェット工具。
【請求項４】
前記円盤は、外周縁部に沿って配置される複数の把持板を有しており、前記把持板は前記円盤に対して回動自在に保持されていることを特徴とする請求項１ないし３のいずれか１項に記載の間接活線作業用ラチェット工具。
【請求項５】
前記絶縁操作棒は、各種工具が装着可能な共用操作棒から構成されていることを特徴とする請求項１ないし４のいずれか１項に記載の間接活線作業用ラチェット工具。
【発明の詳細な説明】
【技術分野】
【０００１】
この発明は、絶縁操作棒を用いた間接活線工法によって電線接続用のボルトを締付けるための間接活線作業用ラチェット工具に関する。
【背景技術】
【０００２】
架空配電用高圧線に高圧引下げ線を接続する作業は、絶縁操作棒を用いた間接活線工法によって行われている。
【０００３】
図１２ないし図１５は、架空配電用高圧線に高圧引下げ線を接続する従来の作業を示している。図１２に示すように、架空配電用高圧線１１０に高圧引下げ線を接続する際は、引下線用コネクタ１１１が使用される。引下線用コネクタ１１１の下端には、高圧引下げ線（図示略）が接続されている。引下線用コネクタ１１１は、クランプ金具１１１ａ、１１１ｂを有しており、ボルト１１２の締付けにより架空配電用高圧線１１０をクランプ金具１１１ａ、１１１ｂで挟持することで、高圧引下げ線が架空配電用高圧線１１０に接続されるようになっている。
【０００４】
高圧引下げ線の架空配電用高圧線１１０への接続作業は、絶縁操作棒としての共用操作棒１００を用いて行われる。共用操作棒１００の上部には、ロックネジ１０３を介して連結保持部２が着脱可能に装着されている。連結保持部２には、間接ラチェットレンチ３が軸心Ｐ１を中心として回動可能に保持されている。間接ラチェットレンチ３は、ラチェット機構部３１を有している。ラチェット機構部３１は、締付け回転方向が一方向に制限されており、逆回転させると空回りするようになっている。ラチェット機構部３１の一側には、ボルト１２の頭部が嵌合可能なソケット部４が連結されている。
【０００５】
高圧引下げ線の架空配電用高圧線１１０への接続時には、ソケット部４をボルト１１２の頭部に嵌合させた状態で、共用操作棒１００を矢印Ｆ３に示すように上下方向に操作するとともに、共用操作棒１００の上端側を矢印Ｆ４に示すように円を描くように操作する。これにより、間接ラチェットレンチ３は軸心Ｐ２周りに回動し、引下線用コネクタ１１１のボルト１２が間接ラチェットレンチ３を介して締付けられることにより、高圧引下げ線は引下線用コネクタ１１１を介して架空配電用高圧線１１０に接続される。
【０００６】
本願発明の先行技術の一例として、間接活線用張線装置が知られている（例えば、特許文献１参照。）。この装置では、張線器と掴線器を有しており、張弛調整機構の端部にラチェットレンチが装着されている。
【先行技術文献】
【特許文献】
【０００７】
【特許文献１】特開２０１３−６２９６０号公報
【発明の概要】
【発明が解決しようとする課題】
【０００８】
しかし、図１２ないし図１５に示す高圧引下げ線の架空配電用高圧線への接続作業では、ボルト１１２が緩んでいる状態では、引下線用コネクタ１１１のラチェット機構部３１がラチェットの機能を発揮することができず、ラチェット機能を利用してボルト１１２を締付けることができない。そのため、従来では矢印Ｆ４に示すように、共用操作棒１００の上端側を何度も大きく回転させ、軸心Ｐ２を中心にボルト１１２を締付け方向に回転させているが、この状態では架空配電用高圧線１１０が大きく搖動するため、操作中に間接ラチェットレンチ３のソケット部４がボルト１１２の頭部から外れることがある。すなわち、図１３に示すように、共用操作棒１００の上端側を何度も大きく回転させると、下線用コネクタ１１１と接続される架空配電用高圧線１１０が大きく搖動するので、図１４に示すように、ボルト１１２と嵌合状態のソケット部４がボルト１１２の頭部から外れることになり、作業が円滑に進まなくなるという問題がある。
【０００９】
そこで本発明は、絶縁操作棒の上端側を何度も大きく回転させることなく、緩んでいる状態のボルトをラチェット機構部がラチェットの機能を発揮することができる状態まで回転させることが可能な間接活線作業用ラチェット工具を提供することを目的とする。
【課題を解決するための手段】
【００１０】
上記目的を達成するために請求項１に記載の発明は、絶縁操作棒の先端側に連結保持部を介して連結され、前記絶縁操作棒の操作によって前記連結保持部を中心に回動可能な間接ラチェットレンチと、前記間接ラチェットレンチの前記連結保持部と反対側に位置する自由端側に組込まれ、締付け回転方向が一方向に制限されるラチェット機構部と、前記ラチェット機構部の軸方向の一側に連結され、電線接続用のボルトの頭部と嵌合可能なソケット部と、前記ラチェット機構部の軸方向の他側に連結され、前記ラチェット機構部を介して前記ソケット部を回動させることが可能な入力軸部と、前記入力軸部に連結され、前記絶縁操作棒と別の絶縁操作棒により外周縁部が把持可能な径を有する円盤を備え、前記の別の絶縁操作棒により前記円盤が把持されて回動操作された場合に、前記ラチェット機構部を介して前記ソケット部を回動させることが可能な回動盤と、を備えたことを特徴とする間接活線作業用ラチェット工具である。
【００１１】
この発明によれば、間接ラチェットレンチを静止させた状態で、別の絶縁操作棒によって円盤の外周縁部を把持して回動盤を回動させることにより、ラチェット機構部を介してソケット部が回転することになり、緩んだ状態のボルトは、ラチェット機構部がラチェットの機能を発揮することができる状態に至るまで締付けられる。
【００１２】
請求項２に記載の発明は、請求項１に記載の間接活線作業用ラチェット工具において、前記回動盤は、前記入力軸部に対して着脱可能であることを特徴としている。
【００１３】
請求項３に記載の発明は、請求項１または２に記載の間接活線作業用ラチェット工具において、前記円盤は、透明アクリル板からなることを特徴としている。
【００１４】
請求項４に記載の発明は、請求項１ないし３のいずれか１項に記載の間接活線作業用ラチェット工具において、前記円盤は、外周縁部に沿って配置される複数の把持板を有しており、前記把持板は前記円盤に対して回動自在に保持されていることを特徴としている。
【００１５】
請求項５に記載の発明は、請求項１ないし４のいずれか１項に記載の間接活線作業用ラチェット工具において、前記絶縁操作棒は、各種工具が装着可能な共用操作棒から構成されていることを特徴としている。
【発明の効果】
【００１６】
請求項１に記載の発明によれば、別の絶縁操作棒によって回動盤を回動させることにより、緩んでいる状態のボルトをラチェット機構部がラチェットの機能を発揮することができる状態まで回転させることができるので、従来のように絶縁操作棒の上端側を何度も大きく回転させる操作が不要となり、ボルトを介して接続される電線の搖動を抑制することができる。これにより、ボルトの頭部が嵌合されるソケット部がボルトの頭部から外れるのを防止することができ、ボルトの締付け作業を円滑に進めることができる。
【００１７】
請求項２に記載の発明によれば、回動盤は入力軸部に対して着脱可能であるので、回動盤が不要な作業工程では、回動盤を入力軸部から離脱させることができ、間接活線作業用ラチェット工具の軽量化を図ることができる。したがって、間接活線作業用ラチェット工具が軽量化された分、絶縁操作棒の操作の負担を軽減することができる。
【００１８】
請求項３に記載の発明によれば、回動盤は別な絶縁操作棒による操作によって回動可能な透明アクリル板からなる円盤を有しているので、絶縁操作棒の操作者は、円盤を介してボルトの位置を確認することができ、ボルトの頭部とソケット部との位置合わせが容易となる。
【００１９】
請求項４に記載の発明によれば、円盤の外周縁部に沿って配置される把持板は、円盤に対して回動自在に保持されているので、別な絶縁操作棒によって把持板を把持した状態で円盤を回動させても、円盤の回動に伴う把持板と別な絶縁操作棒との間での摩擦力を低減することができ、円盤を円滑に回動させることができる。
【００２０】
請求項５に記載の発明によれば、絶縁操作棒は各種工具が装着可能な共用操作棒から構成されるので、専用の絶縁操作棒を新たに製作する必要がなく、コストの低減が図れる。また、間接活線工法で使い慣れた共用操作棒の操作によってボルトの締付けができるので、作業を円滑に進めることができる。
【図面の簡単な説明】
【００２１】
【図１】本発明の実施の形態１に係わる間接活線作業用ラチェット工具の正面図である。
【図２】図１の間接活線作業用ラチェット工具の斜視図である。
【図３】図１の間接活線作業用ラチェット工具における入力軸部と回動盤との連結構造を示す正面図である。
【図４】図３のＡ−Ａ線に沿う拡大断面図である。
【図５】図３のＢ−Ｂに沿う拡大断面図である。
【図６】図１の間接活線作業用ラチェット工具における回動盤の正面図である。
【図７】図１の間接活線作業用ラチェット工具における回動盤の部分拡大断面図である。
【図８】図１の間接活線作業用ラチェット工具を引下線用コネクタのボルトに接近させた状態を示す正面図である。
【図９】図１の間接活線作業用ラチェット工具を引下線用コネクタのボルトに装着させ別の共用操作棒を回動盤に接近させた状態を示す正面図である。
【図１０】図１の間接活線作業用ラチェット工具による引下線用コネクタのボルトの締付け作業を示す正面図である。
【図１１】図１の間接活線作業用ラチェット工具が装着された共用操作棒の全体を示す正面図である。
【図１２】従来の間接活線作業用ラチェット工具による引下線用コネクタのボルトの締付け作業を示す斜視図である。
【図１３】図１２の間接活線作業用ラチェット工具の操作状態を示す正面図である。
【図１４】図１２の間接活線作業用ラチェット工具が引下線用コネクタのボルトから外れた状態を示す正面図である。
【発明を実施するための形態】
【００２２】
つぎに、この発明の実施の形態について、図面を用いて詳しく説明する。
【００２３】
図１ないし図１１は、本発明の実施の形態を示している。図１１は、本発明に係る間接活線作業用ラチェット工具１を絶縁操作棒としての共用操作棒１００に装着した状態を示している。図１１において、共用操作棒１００は、連結軸１０１と、連結ピン１０２と、ロックネジ１０３と、連結部１０５と、操作棒本体１０６と、絶縁傘部１０７を有している。連結軸１０１は、共用操作棒１００の最上部に位置しており、間接活線作業用ラチェット工具１側の連結保持部２が嵌合される部位であり、円柱状に形成されている。連結ピン１０２は、連結軸１０１に固定されており、共用操作棒１００の軸心に対して直交する方向に延びている。連結ピン１０２は、間接活線作業用ラチェット工具１側の連結保持部２に形成されたロック溝の終端部と係合可能となっている。
【００２４】
ロックネジ１０３は、連結軸１０１の下方に形成されたネジ部（図示略）と螺合しており、連結ピン１０２と係合状態にある間接活線作業用ラチェット工具１の連結保持部２を上方に押圧する機能を有している。連結保持部２は、ロックネジ１０３の押圧によって、連結軸１０１に対して上下方向および共用操作棒１００の軸心周りへの動きが阻止されている。連結部１０５は、連結軸１０１と操作棒本体１０６とを連結している。操作棒本体１０６は、電気的絶縁性の高い部材から構成されており、上下方向に延びている。操作棒本体１０６の軸方向の途中には、円錐台状の絶縁傘部１０７が複数設けられている。絶縁傘部１０７は、操作棒本体１０６の上端部に付着した雨が操作棒本体１０６の下端側に流下するのを阻止する機能を有している。
【００２５】
図１は、間接活線作業用ラチェット工具１を示している。図１に示すように、間接活線作業用ラチェット工具１は、引下線用コネクタ１１１のボルト１１２を締付けるために使用される。図１に示すように、架空配電用高圧線１１０に高圧引下げ線（図示略）を接続する際は、引下線用コネクタ１１１が使用される。高圧引下げ線は、引下線用コネクタ１１１の下端に接続されている。高圧引下げ線は、高圧幹線側から低圧幹線側へ電力を供給するための電線であり、高圧引下げ線の末端は例えば電圧を変換するための柱上変圧器側に接続される。引下線用コネクタ１１１は、クランプ金具１１１ａ、１１１ｂを有しており、ボルト１１２の締付けにより架空配電用高圧線１１０をクランプ金具１１１ａ、１１１ｂで挟持することで、高圧引下げ線が架空配電用高圧線１１０に接続されるようになっている。
【００２６】
図１に示すように、間接活線作業用ラチェット工具１は、連結保持部２と、間接ラチェットレンチ３と、ソケット部４と、入力軸部５と、回動盤６とを備えている。連結保持部２は、回動軸２ａと保持部２ｂを有している。回動軸２ａは、共用操作棒１００に対して横方向に延びており、軸心Ｐ１が共用操作棒１００の軸心に対して直交している。回動軸２ａは、軸心Ｐ１周りに回動自在となっており、自由端側の端部には、保持部２ｂが固定されている。保持部２ｂは、間接ラチェットレンチ３の一端部を保持する機能を有している。
【００２７】
図１に示すように、間接ラチェットレンチ３は、ラチェットレンチ本体３ａと切換えレバー３ｂを有している。間接ラチェットレンチ３は、共用操作棒１００の操作により連結保持部２の回動軸２ａの軸心Ｐ１を中心に回動可能となっている。間接ラチェットレンチ３は、ラチェット機構部３１を有している。ラチェット機構部３１は、ラチェットレンチ本体３ａにおける連結保持部２の保持部２ｂと反対側に位置する自由端側に組込まれている。ラチェット機構部３１は、締付け回転方向が一方向に制限されており、逆回転させると空回りするようになっている。この実施の形態においては、ラチェット機構部３１は、締付け対象のボルト１１２が緩んでいる状態では、ラチェットの機能を発揮することができないが、ボルト１１２が一定のトルクで締付けられた状態になると、ラチェット機能を発揮するようになっている。
【００２８】
ラチェット機構部３１の軸方向の一側には、ソケット部４が連結されている。ソケット部４は、連結軸４ａとソケット本体部４ｂから構成されている。ソケット本体部４ｂは、ボルト１１２の頭部と嵌合可能となっている。ソケット本体部４ｂは円筒状に形成されており、内面側がボルト１１２の頭部と嵌合可能な６角形に形成されている。ソケット本体部４ｂの軸方向の一端は、連結軸４ａと連結されている。連結軸４ａは、ラチェット機構部３１に対して着脱可能に連結されている。これにより、ソケット部４は、ラチェット機構部３１に対して着脱可能となっており、ラチェット機構部３１には、ボルト１１２以外の形状のボルトを締付けるための別のソケット部が装着可能となっている。
【００２９】
ラチェット機構部３１の軸方向の他側には、入力軸部５が連結されている。入力軸部５は、ラチェット機構部３１を介してソケット部４を回動させる機能を有している。図５に示すように、入力軸部５は、軸方向の一端側が円筒状に形成されており、内面には雌スプライン５ｂが形成されている。入力軸部５の軸方向の他端側は、中実状の連結軸５ａに形成されており、連結軸５ａはラチェット機構部３１に連結されている。入力軸部５の雌スプライン５ｂの内面側には、外れ止めの機能を果たす係合穴５ｃが形成されている。
【００３０】
入力軸部５には、回動盤６が着脱可能に連結されている。図１に示すように、回動盤６は、共用操作棒１００と別の共用操作棒２００による操作によってラチェット機構部３１を介してソケット部４を回動させる機能を有している。回動盤６は、嵌合軸部６１と、円盤６２と、把持板６３を有している。嵌合軸部６１は、図４に示すように、入力軸部５と嵌合可能な軸本体６１ａを有しており、軸本体６１ａの外周面には雄スプライン６１ｂが形成されている。雄スプライン６１ｂは、入力軸部５の雌スプライン５ｂと嵌合可能となっている。雄スプライン６１ｂと雌スプライン５ｂは、軸方向に対して摺動可能となっており、軸心Ｐ２周り方向にのみ係合するようになっている。軸本体６１ａの雄スプライン６１ｂの外周面側には、係合ボール６１ｃが出没可能に取付けられている。係合ボール６１ｃは、圧縮コイルスプリング６１ｄによって一部が雄スプライン６１ｂの外周面に突出するように構成されている。入力軸部５と回動盤６が連結した状態では、係合ボール６１ｃは、入力軸部５の係合穴５ｃに進入し、係合穴５ｃと係合するようになっている。
【００３１】
円盤６２は、透明アクリル板から構成されている。円盤６２の中心部には、嵌合軸部６１が位置しており、嵌合軸部６１に円盤６２が連結されている。円盤６２には、外周縁部６２ａに沿って複数の把持板６３が配置されている。図７に示すように、把持板６３は、例えば摩擦係数の高い材料、例えばゴムから構成されている。把持板６３は、把持板は円盤６２に対して回動自在に保持されている。把持板６３は、円盤６２に形成された保持穴６２ｂに挿通される保持軸６３ａと、保持軸６３ａに連結され円盤６２の両側面側に位置する把持部６３ｂを有している。把持板６３は、保持軸６３ａを中心として円盤６２に対して回動可能となっている。
【００３２】
つぎに、間接活線作業用ラチェット工具１を用いた高圧引下げ線の接続作業の手順および作用について説明する。
【００３３】
図８は、架空配電用高圧線１１０に高圧引下げ線を接続する作業におけるボルト１１２を締付ける直前の状態を示している。図８に示すように、架空配電用高圧線１１０に高圧引下げ線を接続する際は、引下線用コネクタ１１１が使用される。架空配電用高圧線１１０の引下線用コネクタ１１１が取付けられる部位は、絶縁被覆が既に除去されている。絶縁被覆が除去され部位は、クランプ金具１１１ａ、１１１ｂで挟持されており、クランプ金具１１１ａ、１１１ｂにはボルト１１２が挿入されている。この状態では、図８に示すように、間接活線作業用ラチェット工具１がボルト１１２に接近するように、共用操作棒１００が操作者によって操作され、ソケット部４がボルト１１２の頭部と対向する位置に位置決めされる。ソケット部４がボルト１１２の頭部との位置合わせが行われると、つぎに、ソケット部４がボルト１１２側に移動するように共用操作棒１００が操作され、ソケット部４をボルト１１２の頭部に嵌合させる。
【００３４】
図９は、ソケット部４がボルト１１２の頭部に嵌合した状態を示している。ソケット部４がボルト１１２の頭部に嵌合した状態では、同じ操作者によって別の共用操作棒２００が回動盤６に向かうように操作され、共用操作棒２００の先端部に装着されたヤットコとこと呼ばれるクランプ部２０１が回動盤６の直下に位置するようになる。つぎに、図１に示すように、回動盤６の円盤６２が共用操作棒２００のクランプ部２０１によって把持され、矢印Ｆ１に示すように、回動盤６は共用操作棒２００の操作によって軸心Ｐ２周りに回動することになる。回動盤６が回動すると、この回動力が入力軸部５とラチェット機構部３１を介してソケット部４に伝達される。この状態では、矢印Ｆ２に示すように、ソケット部４が軸心Ｐ２周りに回転し、ソケット部４と嵌合しているボルト１１２を回転させる。これにより、緩んでいる状態のボルト１１２を、ラチェット機構部３１がラチェットの機能を発揮することができるトルクに至るまで回転させることが可能となる。
【００３５】
ここで、回動盤６の円盤６２には、外周縁部６２ａに沿って複数の把持板６３が配置されているので、各把持板６３をクランプ部２０１によって把持した状態で共用操作棒２００を操作することにより、回動盤６は軸心Ｐ２を中心として円滑に回転することになる。すなわち、各把持板６３は、保持軸６３ａを中心として円盤６２に対して回動可能となっているので。把持板６３をクランプ部２０１によって把持した状態で円盤６２を回転させても、円盤１２とクランプ部２０１との間の摩擦力を低減することができ、円盤６２を円滑に回転させることが可能となる。これにより、共用操作棒２００を操作する際の労力が軽減される。
【００３６】
回動盤６の操作によって、緩んでいる状態のボルト１１２をラチェット機構部３１がラチェットの機能を発揮することができる状態まで回転させると、共用操作棒１００によるボルト１１２の締付けが行われる。図１０は、共用操作棒１００によるボルト１１２の締付け作業を示している。回動盤６の操作によって、緩んでいる状態のボルト１１２が所定のトルクで締めつけられた状態では、ラチェット機構部３１がラチェットの機能を発揮することが可能となり、図１０に示すように、共用操作棒１００を矢印Ｆ３方向に操作し、共用操作棒１００の先端部が円を描くように矢印Ｆ４方向に操作することにより、ソケット部４は間接ラチェットレンチ３を介して軸心Ｐ２周りに回転することになり、ボルト１１２の締付けが行われる。
【００３７】
この実施の形態におけるラチェット機構部３１は、トルクリミッタ機能を有しており、所定のトルクを超えた場合は空回りするので、ボルト１１２が過度に締めつけられることはなく、ボルト１１２を所定のトルクで締付けることができる。また、ボルト１１２は、回動盤６の操作によってある程度締めつけられた状態になっているので、間接ラチェットレンチ３を使用して締付ける量は少ないので、従来のように共用操作棒１００の先端部を大きく何回も回転させる必要がなく、ソケット部４がボルト１１２の頭部から外れることはなくなる。
【００３８】
このように、別の共用操作棒２００によって回動盤６の円盤６２を回動させることにより、緩んでいる状態のボルト１１２をラチェット機構部３１がラチェットの機能を発揮することができる状態まで回転させることができるので、従来のように共用操作棒１００の上端側を何度も大きく回転させる操作が不要となり、ボルト１１２を介して接続される架空配電用高圧線１１０の搖動を抑制することができる。これにより、ボルト１１２の頭部が嵌合されるソケット部４がボルト１１２の頭部から外れるのを防止することができ、ボルト１１２の締付け作業を円滑に進めることができる。
【００３９】
また、回動盤６は入力軸部５に対して着脱可能であるので、回動盤６が不要な作業工程では、回動盤６を入力軸部５から離脱させることができ、間接活線作業用ラチェット工具１の軽量化を図ることができる。したがって、間接活線作業用ラチェット工具１が軽量化された分、共用操作棒１００の操作の負担を軽減することができる。さらに、回動盤６は別な共用操作棒２００による操作によって回動可能な透明アクリル板からなる円盤６２を有しているので、共用操作棒２００の操作者は、円盤６２を介してボルト１１２の位置を確認することができ、ボルト１１２の頭部とソケット部４との位置合わせが容易となる。
【００４０】
円盤６２の外周縁部６２ａに沿って配置される把持板６３は、円盤６２に対して回動自在に保持されているので、別な共用操作棒２００によって把持板６３を把持した状態で円盤６２を回動させても、円盤６２の回動に伴う把持板６３と共用操作棒２００のクランプ部２０１との間での摩擦力を低減することができ、円盤６２を円滑に回動させることができる。
【００４１】
また、絶縁操作棒は各種工具が装着可能な共用操作棒１００、２００から構成されるので、専用の絶縁操作棒を新たに製作する必要がなく、コストの低減が図れる。そして、間接活線工法で使い慣れた既存の共用操作棒１００、２００の操作によってボルト１１２の締付けができるので、作業を円滑に進めることができる。
【００４２】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、回動盤６を入力軸部５に対して着脱可能としているが、回動盤６を入力軸部５に連結したままの構成としてもよい。また、この実施の形態においては、雌スプライン５ｂを入力軸部５側に形成し、雄スプライン６１ｂを回動盤６側に形成したが、雌スプライン５ｂを回動盤６側に形成し、雄スプライン６１ｂを入力軸部５側に形成する構成としてもよい。さらに、間接活線作業用ラチェット工具１は、間接活線工法で使用される各種の工具が装着可能な共用操作棒１００によって操作される例を示したが、間接活線作業用ラチェット工具１を専用の絶縁操作棒に装着して使用する構成としてもよい。
【符号の説明】
【００４３】
１                間接活線作業用ラチェット工具
２                連結保持部
３                間接ラチェットレンチ
３１              ラチェット機構部
４                ソケット部
５                入力軸部
５ｂ              雌スプライン
６                回動盤
６１ｂ            雄スプライン
６１ｃ            係合ボール
６２              円盤
６３              把持板
１００            共用操作棒（絶縁操作棒）
１１０            架空配電用高圧線（電線）
１１１            引下線用コネクタ
１１２            ボルト
２００            別の共用操作棒（別の絶縁操作棒）
【図１】
0005872519.tif 000002
【図２】
0005872519.tif 000003
【図３】
0005872519.tif 000004
【図４】
0005872519.tif 000005
【図５】
0005872519.tif 000006
【図６】
0005872519.tif 000007
【図７】
0005872519.tif 000008
【図８】
0005872519.tif 000009
【図９】
0005872519.tif 000010
【図１０】
0005872519.tif 000011
【図１１】
0005872519.tif 000012
【図１２】
0005872519.tif 000013
【図１３】
0005872519.tif 000014
【図１４】
0005872519.tif 000015